(57)【特許請求の範囲】
【請求項１】
胴本体の開口端面にドラムヘッドをヘッド支持緊張手段によって張設したドラムにおいて、
前記胴本体を第１、第２の胴構成部材と、前記第１、第２の胴構成部材間に介在された第３の胴構成部材とで構成し、
前記第３の胴構成部材にボルト、ラグ、クランプの少なくとも１種類の金具を取付けたことを特徴とするドラム。
【請求項２】
請求項１記載のドラムにおいて、
第１、第２、第３の胴構成部材を材質または構成が異なる少なくとも２種類以上の複数種で構成したことを特徴とするドラム。
【発明の詳細な説明】
【０００１】
【発明の属する技術分野】
本発明は、バスドラム、スネアドラム、マーチングドラム等に適用して好適なドラムに関する。
【０００２】
【従来の技術】
一般的なバスドラム、スネアドラム、マーチングドラム、フロアタム等のドラムの胴本体は、基本的には１種類の材質によって形成されており、打音の共鳴機能と、ドラムヘッドやスナッピー（響線）を支持する強度部材としての機能を有している。
【０００３】
図４は従来のスネアドラムの上下反転させて示す外観斜視図、図５は要部の一部を破断して示すもので、円筒状に形成された胴本体１の両端開口部に天然皮革、樹脂製フィルム（例：ポリエステル樹脂、ポリカーボネート樹脂等）等からなる表側および裏側のドラムヘッド２（２ａ，２ｂ）を複数個のヘッド支持緊張手段３によってそれぞれ張設し、両ヘッドによって密閉された内部の空気柱を振動伝達媒体として作用させることによりドラム音を発生させるようにしている。例えば表側のドラムヘッド２ａをスティックで打撃すると、内部の空気柱がその振動を裏側のドラムヘッド２ｂに伝達し、これによって裏側ドラムヘッド２ｂが振動を起こすと、この振動を内部の空気柱が表側ドラムヘッド２ａに伝えるという具合に両方のドラムヘッド２ａ，２ｂが繰り返し振動し、ドラム音が発音される。このため、胴本体１としては、形状を安定に維持し気候条件、表側、裏側のドラムヘッド２ａ，２ｂの張力等によって変形せず、調音の狂いが少ないこと、自己振動または自己吸収を起こさないことなどが要求され、その材質によって音色が異なる。すなわち、金属製と合成樹脂製の胴本体は音の伝達速度が速く高音特性に優れ、音の減衰時間が短く軽快で切れがよく明るい響きの音が得られる。一方、木製の胴本体は音の伝達速度が遅く低音特性に優れ、音の減衰時間が長く、金属製と合成樹脂製のものに比べて音質的に暖かみがあり落ち着いた響きの音が得られる。
【０００４】
前記ヘッド支持緊張手段３としては、一般にドラムヘッド２の周縁部を保持し、胴本体１の外周に嵌装される環状のヘッド枠５と、同じく胴本体１の外周に嵌装されヘッド枠５を押圧する環状の締め枠（リム）６と、胴本体１の外周面に固定されたラグ７とリム６を連結する締めボルト８等で構成されており、この締めボルト８の回転操作によってリム６を軸線方向に移動させると、リム６のヘッド枠５に対する押圧力が変化し、これによってドラムヘッド２の張力、言い換えればドラムの音色が調節される。
【０００５】
【発明が解決しようとする課題】
上記した通り、ドラムにあってはその種類（大きさ）、使用する材質等によって特有の音色を有するものである。しかしながら、従来の一般的なドラムは基本的には１種類の材質によって胴本体１を形成し、この胴本体１の外周にラグ７やスナッピー９をドラムヘッド２ｂに接触、離間させるための機構（ストレイナー）１０を固定している。このため、１つのドラムでは１つの仕様でしか楽しむことができず、例えば胴本体の深さを変えたり、異なった材質の組合わせからなる胴本体を用いて演奏することができないという問題があった。
【０００６】
本発明は上記した従来の問題を解決するためになされたもので、その目的とするところは、胴本体の一部の材質や構造を変えることにより、異なった仕様による演奏を楽しむことができるようにしたドラムを提供することにある。
【０００７】
【課題を解決するための手段】
上記目的を達成するため第１の発明は、胴本体の開口端面にドラムヘッドをヘッド支持緊張手段によって張設したドラムにおいて、前記胴本体を第１、第２の胴構成部材と、前記第１、第２の胴構成部材間に介在された第３の胴構成部材とで構成し、前記第３の胴構成部材にボルト、ラグ、クランプの少なくとも１種類の金具を取付けたものである。
【０００８】
第２の発明は上記第１の発明において、第１、第２、第３の胴構成部材を材質または構造が異なる少なくとも２種類以上の複数種で構成したものである。
【００１０】
本発明において、第１、第２、第３の胴構成部材の材質としては任意である。第１、第２、第３の胴構成部材としてそれぞれ材質が異なるものを複数類用意しておき、これらを適宜組合わせて使用すると、音色等が異なり仕様の異なったドラム演奏を楽しむことができる。構造が異なるものとしては、例えばタンバリンのようなベルが取付けられたものが考えられる。第３の胴構成部材には、ボルト、ラグ、クランプの少なくとも１種類の金具の取付けが可能とされる。
【００１１】
【発明の実施の形態】
以下、本発明を図面に示す実施の形態に基づいて詳細に説明する。
図１は本発明をスネアドラムに適用した一実施の形態を示す概略斜視図、図２は同ドラムの要部の断面図である。なお、従来技術の欄で示した構成部材と同一のものについては、同一符号を以て示し、その説明を適宜省略する。これらの図において、スネアドラム２０は、円筒状に形成された胴本体２１と、この胴本体２１の両端開口部に、ヘッド枠５、リム６、締めボルト７等のヘッド支持緊張手段３によってそれぞれ張設された表側および裏側のドラムヘッド２ａ，２ｂとを備えている。
【００１２】
前記胴本体２１は、軸線方向に３つに分割して形成されることにより、第１、第２の胴構成部材２２，２３と、これらの胴構成部材２２，２３の間に介在された第３の胴構成部材２４とで構成されている。第１、第２の胴構成部材２２，２３は、同一の円筒状に形成され、第３の胴構成部材２４側とは反対の開口端２５，２６に前記表側および裏側のドラムヘッド２ａ，２ｂが張設されている。また、これらの開口端２５，２６は、ドラムヘッド２ａ，２ｂの支持点を明確にするために内周縁を断面Ｖ字状に切り落とすことにより、ヘッド支持部をそれぞれ形成している。
【００１３】
前記第３の胴構成部材２４は、内径が前記第１、第２の胴構成部材２２，２３の外径より若干大きく、深さが浅い円筒状に形成され、内面中央に環状体２４Ａが一体に突設されている。
【００１４】
また、第３の胴構成部材２４には、上下面に貫通する複数個のボルト取付用孔２８，２９が周方向に等間隔をおいて形成されており、これらのボルト取付用孔２８，２９に表側と裏側のドラムヘッド２ａ，２ｂのリム６と前記第３の胴構成部材２４を連結する締めボルト８がそれぞれ挿通されている。表側のドラムヘッド２ａ用のボルト取付孔２８と、裏側のドラムヘッド２ｂ用のボルト取付孔２９とは、互いに半ピッチずれて形成されている。また、これらのボルト取付孔２８，２９は異径孔からなり、内部に前記締めボルト８が螺合するナット３０が組み込まれている。このため、本実施の形態においては前記第３の胴構成部材２４がラグとしての機能を有しているが、図３に示すように第３の胴構成部部材２４を薄肉の筒状体に形成して外周にラグ７を止めねじ３１によって固定し、このラグ７に締めボルト８を連結してもよい。また、１本のスタンドに多数のタムタムを取付けたり、フロアタムとして複数の脚を取付けるために用いられるクランプを取付けてもよい。
【００１５】
また、第３の胴構成部材２４の外周には、二点鎖線で示すようにスナッピー（図４参照）を操作するための機構１０が取付けられる。締めボルト、ラグ、クランプ等の金具は第３の胴構成部材２４に並設することも可能である。
【００１６】
前記第１、第２、第３の胴構成部材２２，２３，２４の材質としては任意であり、それぞれメイプル、マホガニー等の木材、アルミニウム、スチール等の金属、ＦＲＰ（繊維強化合成樹脂）等によって形成されたものが複数種用意される。また、同一材質のものであっても深さが異なるものが複数種用意される。このように材質、深さが異なるものを複数種用意しておくと、演奏に応じて第１、第２、第３の胴構成部材２２，２３，２４の材質を同一のもの、例えば木製のもので統一したり、あるいはまた材質の異なるものを適宜組合わせて使用することができる。例えば第１、第２の胴構成部材２２，２３として金属製のものを用い、第３の胴構成部材２４として木製のものを用いたり、第１、第２の胴構成部材２２，２３として木製のものを用い、第３の胴構成部材２４として合成樹脂製のものを用いたり、あるいはまた第１の胴構成部材２２として木製のものを用い、第２の胴構成部材２３として金属製のものを用い、第３の胴構成部材２４として合成樹脂製のものを用いたりすることができる。このように材質を異ならせると、その組合わせによって音色、高、低音特性、減衰時間等を自由に変えることができる。また、材質が同じであっても、深さの異なるものを組合わせて使用することにより、例えば、第１の胴構成部材２２の深さを５０．８ｍｍ、第２の胴構成部材２３の深さを２５．４ｍｍとすることにより音色等を変えることができる。なお、第３の胴構成部部材２４については、深さの異なるものを必ずしも必要としない。さらに、特殊胴として、第１または第２の胴構成部材２２，２３の外周にタンバリンのようにベル３２を取付けてもよい。
【００１７】
使用に当たっては、第１、第２の胴構成部材２２，２３を第３の胴構成部材２４の内周に上方および下方から嵌合し、ヘッド支持緊張手段３によって表側および裏側のドラムヘッド２ａ，２ｂを第１、第２の胴構成部材２３，２４の開口端２５，２６に張設し、締めボルト８でリム６と第３の胴構成部材２４を連結する。締めボルト８を締め付けると、第１、第２の胴構成部材２２，２３は、第３の胴構成部材２４の環状体２４Ａの上面と下面にそれぞれ押し付けられる。したがって、止めねじ等で固定する必要がなく、胴本体２１の組立てが簡単かつ容易である。
【００１８】
なお、上記した実施の形態においては、スネアドラムに適用した例を示したが、本発明はこれに何等限定されるものではなく、マーティングドラム、フロアタム、タムタム等のドラムにも適用することができる。また、第１の胴構成部材２２にのみドラムヘッドを張設すると、シングルドラムとしても使用することができる。
また、上記した実施の形態においては、第１、第２の胴構成部材２２，２３を同一の外径と内径を有するものとして示したが、これに限らず特殊胴として、一方を大径、他方を小径に形成し、これに合わせて第３の胴構成部材２４の内径を異径に形成してもよい。
【００１９】
【発明の効果】
以上説明したように本発明に係るドラムによれば、胴本体を深さ方向に分割して形成された３つの胴構成部材で構成したので、仕様に応じて胴構成部材の材質または構造が異なるものを適宜組合わせると、振動の減衰時間、音量、音色等を変えることができ、従来とは異なった仕様のドラム演奏を楽しむことができる。また、胴本体の構造も簡単で、容易に製作することができ、第３の胴構成部材にボルト、ラグ、クランプの少なくとも１種類の金具を取付けることができる。
【図面の簡単な説明】
【図１】本発明をスネアドラムに適用した一実施の形態を示す概略斜視図である。
【図２】同ドラムの要部の断面図である。
【図３】本発明の他の実施の形態を示す要部の断面図である。
【図４】従来のスネアドラムの外観斜視図である。
【図５】同ドラムの要部の断面図である。
【符号の説明】
２ａ，２ｂ…ドラムヘッド、３…ヘッド支持緊張手段、５…ヘッド枠、６…リム、７…ラグ、８…締めボルト、２０…スネアドラム、２１…胴本体、２２…第１の胴構成部材、２３…第２の胴構成部材、２４…第３の胴構成部材。
【図１】
0003543730.tif 000002
【図２】
0003543730.tif 000003
【図３】
0003543730.tif 000004
【図４】
0003543730.tif 000005
【図５】
0003543730.tif 000006